(57)【要約】【課題】冊子の小口断裁処理時に、他の駆動手段の振動による冊子先端部突き当て用の可動ストッパの位置ずれを防止し、冊子断裁精度の向上を計る。【解決手段】冊子ＳＡを搬送する搬送手段１００，２００を駆動するモータＭ１と、冊子ＳＡを所定位置に停止させる移動可能な可動ストッパ２２１を駆動するモータＭ２と、冊子ＳＡを押さえつける押圧部材２４０を駆動するモータＭ４と、冊子ＳＡの小口を断裁する断裁手段３００を駆動するモータＭ５と、断裁処理済みの冊子ＳＡを収容する冊子収納手段４００を駆動するモータＭ６，Ｍ７と、各モータを制御する制御手段９０と、から構成し、制御手段９０は、断裁手段３００のモータＭ５を駆動している時には、断裁手段３００以外の手段のモータを非作動に制御する用紙断裁装置。【選択図】図１３
2006247836.tif 000002
【特許請求の範囲】
【請求項１】
中綴じ処理、中折り処理された冊子の小口を断裁手段により断裁して冊子を仕上げる用紙断裁装置において、
前記冊子を搬送する搬送手段を駆動する駆動源と、前記冊子を所定位置に停止させる移動可能な停止手段を駆動する駆動源と、前記冊子を押さえつける押圧手段を駆動する駆動源と、前記冊子の小口を断裁する断裁手段を駆動する駆動源と、断裁処理済みの冊子を収容する冊子収納手段を駆動する駆動源と、前記各駆動源を制御する制御手段と、から構成し、
前記制御手段は、前記断裁手段の駆動源を駆動している時には、前記断裁手段以外の手段の駆動源を非作動に制御することを特徴とする用紙断裁装置。
【請求項２】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、前記各手段を制御する制御手段と、から構成し、
前記制御手段は、前記搬送手段により前記断裁手段に搬送される冊子の用紙枚数により、前記停止手段の冊子停止位置を可変に制御することを特徴とする用紙断裁装置。
【請求項３】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、前記各手段を制御する制御手段と、から構成し、
前記制御手段は、前記冊子の用紙枚数が所定枚数以下に設定された場合、自動的に断裁処理を行わないことを特徴とする用紙断裁装置。
【請求項４】
前記制御手段は、前記冊子の用紙枚数が所定枚数以下に設定された場合、自動的に断裁処理を行わず、操作部画面上に断裁処理を実施しなかったことを表示することを特徴とする請求項３に記載の用紙断裁装置。
【請求項５】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、断裁処理実施を選択したときには、前記断裁手段による断裁処理後の冊子を前記搬送手段により前記冊子収納手段に搬送し、断裁処理非実施を選択したときには、前記断裁手段による断裁処理を行わず、前記冊子を前記搬送手段により前記冊子収納手段に搬送するように制御することを特徴とする用紙断裁装置。
【請求項６】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、画像形成処理中にキャンセル操作が行われた時、前記断裁手段による断裁処理を行わず、前記冊子を前記搬送手段により前記冊子収納手段に搬送するように制御することを特徴とする用紙断裁装置。
【請求項７】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、前記搬送手段により搬送される冊子の先端部が、前記停止手段の停止部材に突き当たる直前に、前記停止手段を駆動する駆動源を励磁処理して、前記停止手段を固定状態に保持することを特徴とする用紙断裁装置。
【請求項８】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、前記断裁手段により断裁処理された冊子を搬送して前記冊子収納手段に搬送する搬送中に、後続の冊子を前記断裁手段に搬入させ、前記断裁処理後の冊子の搬送処理と、後続の冊子の搬入処理とを同時に行うことを特徴とする用紙断裁装置。
【請求項９】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、前記停止手段の停止部材の停止位置を、任意に設定した断裁量に対応して調整可能に設定することを特徴とする用紙断裁装置。
【請求項１０】
用紙給送手段により給送された用紙に、画像情報に応じて画像を形成する画像形成手段と、
前記画像形成手段により画像形成された用紙を、中綴じ処理する綴じ手段、中綴じ処理された用紙を二つ折り処理する折り手段を備えた用紙後処理装置と、
請求項１〜９の何れか１項に記載の用紙断裁装置とを有し、
画像形成された用紙を二つ折り処理及び中綴じ処理して冊子を作製し、前記冊子の小口を断裁手段により断裁して冊子を仕上げることを特徴とする画像形成装置。
【発明の詳細な説明】
【技術分野】
【０００１】
本発明は、用紙束に対して、中綴じ処理、中折り処理を行い製本化した後、用紙の小口を揃えるため小口を断裁する用紙断裁装置、用紙断裁装置を備えた画像形成装置に関するものである。
【背景技術】
【０００２】
複数枚で１セットになる用紙束に対して中綴じ処理を行う用紙後処理装置として、従来、特許文献１、特許文献２、特許文献３等が知られている。
【０００３】
また、二つ折り処理を可能にする用紙後処理装置として、特許文献４、特許文献５等が提案されている。
【０００４】
用紙束に対して、中綴じ処理、中折り処理を行い製本化した後、用紙の小口を揃えるため小口を断裁する用紙断裁装置がある。また、近年、複写機、プリンタ、これらの複合機等の画像形成装置により画像が記録された用紙束に対して、用紙後処理装置により中綴じ処理、中折り処理を行い週刊誌のように製本化した後、用紙断裁装置により用紙の小口を揃えるため小口を断裁する用紙断裁装置を備えた用紙後処理装置が提供されている。
【特許文献１】特開平６−７２０６４号公報
【特許文献２】特開平７−１８７４７９号公報
【特許文献３】特開平８−１９２９５１号公報
【特許文献４】特開平１０−１４８９８３号公報
【特許文献５】特開平１０−１６７５６２号公報
【発明の開示】
【発明が解決しようとする課題】
【０００５】
中綴じ処理、中折り処理された冊子の小口を断裁手段により断裁して冊子を仕上げる用紙断裁装置には、以下の課題がある。
【０００６】
〈１〉  断裁手段の駆動源を駆動している時、前記断裁手段以外の他の手段の駆動
手段が作動していると、他の駆動手段の振動により、冊子の断裁位置がずれることがある。
【０００７】
〈２〉  複数枚の用紙を中綴じ処理、中折り処理して作製された冊子を断裁処理するとき、冊子の１部当たりの枚数の多寡により、小口の突出量が異なるから、一定の断裁寸法では、断裁量不足による小口の不揃いや、断裁量過多による用紙無駄を生じる。そこで、冊子の１部当たりの枚数毎に断裁屑を必要最小限に押さえる制御が求められる。
【０００８】
〈３〉  少数の用紙から成る冊子を断裁するとき、断裁上刃と断裁下刃の間に用紙が捲り込まれる断裁不良や、断裁位置ずれ等を発生することがある。特に、薄手の用紙や腰の弱い用紙、又は、断裁刃の切れ味が低下した場合には、断裁不良が多発する。断裁不良が発生しやすい薄手の用紙等を使用するため、自動的に断裁処理を行わなかった場合に、ユーザに断裁処理を行わなかったことを知らせる制御が求められる。
【０００９】
〈４〉  複数枚の用紙を中綴じ処理、中折り処理して作製された冊子を断裁処理せずに、冊子収納部に排出したいという場合がある。
【００１０】
〈５〉  画像形成処理中、又は、用紙後処理装置による後処理処理中に、キャンセル操作が行われた時、キャンセルしたいにも係わらず、中綴じされた冊子を断裁処理して排出すると、多大な無駄時間を費やす。
【００１１】
〈６〉  搬送手段により断裁手段に搬送される用紙の先端部が、停止手段の停止部材に突き当たる時に、停止手段が衝撃を受けて、停止位置が変動し、正確な位置に用紙が設置されないことがある。
【００１２】
〈７〉  冊子断裁処理後に後続の冊子を断裁処理部に搬送開始する従来の逐次搬送方法では、冊子断裁処理時間が長くなる。
【００１３】
〈８〉  冊子の枚数に関係なく、所望の断裁寸法を設定して断裁処理を行えるようにする。
【００１４】
本発明は、上記の各課題を解消して、用紙断裁装置を改良し、中綴じ処理及び二つ折り処理済みの用紙束の小口を断裁処理後、出来上がり冊子を排出して積載する用紙収納部の操作性の向上、冊子の収容量の増大化、及び用紙断裁装置の小型化を達成することを目的とする。
【課題を解決するための手段】
【００１５】
上記の課題は、以下の本発明の用紙断裁装置、及び用紙断裁装置を備えた画像形成装置により達成される。
【００１６】
（１）  上記の課題〈１〉は、本発明の請求項１に記載の用紙断裁装置により解決される。
【００１７】
（２）  上記の課題〈２〉は、本発明の請求項２に記載の用紙断裁装置により解決される。
【００１８】
（３）  上記の課題〈３〉は、本発明の請求項３又は請求項４に記載の用紙断裁装置により解決される。
【００１９】
（４）  上記の課題〈４〉は、本発明の請求項５に記載の用紙断裁装置により解決される。
【００２０】
（５）  上記の課題〈５〉は、本発明の請求項６に記載の用紙断裁装置により解決される。
【００２１】
（６）  上記の課題〈６〉は、本発明の請求項７に記載の用紙断裁装置により解決される。
【００２２】
（７）  上記の課題〈７〉は、本発明の請求項８に記載の用紙断裁装置により解決される。
【００２３】
（８）  上記の課題〈８〉は、本発明の請求項９に記載の用紙断裁装置により解決される。
【００２４】
（９）  本発明の画像形成装置は、用紙給送手段により給送された用紙に、画像情報に応じて画像を形成する画像形成手段と、前記画像形成手段により画像形成された用紙を、中綴じ処理する綴じ手段、中綴じ処理された用紙を二つ折り処理する折り手段を備えた用紙後処理装置と、請求項１〜９の何れか１項に記載の用紙断裁装置とを有し、画像形成された用紙を二つ折り処理及び中綴じ処理して冊子を作製し、前記冊子の小口を断裁手段により断裁して冊子を仕上げることを特徴とするものである。
【発明の効果】
【００２５】
本発明の用紙断裁装置及び用紙後処理装置により以下の効果が奏せられる。
【００２６】
（１）  本発明の用紙断裁装置は、断裁手段の駆動源を駆動している時には、断裁手段以外の手段の駆動源を非作動に制御するものであり、他の駆動手段の振動による可動ストッパの位置ずれを防止し、冊子の小口断裁位置精度の安定化が実現できる。
【００２７】
（２）  本発明の用紙断裁装置は、搬送手段により断裁手段に搬送される冊子の用紙枚数により、停止手段の冊子停止位置を可変に制御するものであり、冊子ＳＡの用紙枚数（冊子の厚さ）により小口の突出量の差異が生じても、常に最適の断裁量に制御されて、過剰な断裁や断裁不足のない、冊子が作製される。
【００２８】
（３）  本発明の用紙断裁装置は、冊子の用紙枚数が所定枚数以下に設定された場合、自動的に断裁処理を行わず、操作部画面上に断裁処理を行わないことを表示するものであり、少数枚の冊子における断裁位置がずれる不具合を、操作部画面上に表示して、ユーザに注意を促し、少数枚の冊子の断裁処理時に発生するおそれのある断裁処理不良を未然に防止することができる。また、自動的に断裁処理を行わなかった場合に、ユーザに断裁処理を行わなかったことを知らせる事ができる。
【００２９】
（４）  本発明の用紙断裁装置は、断裁処理実施を選択したときには、断裁手段による断裁処理後の冊子を搬送手段により冊子収納手段に搬送し、断裁処理非実施を選択したときには、断裁手段による断裁処理を行わず、冊子を前記搬送手段により冊子収納手段に搬送するように制御するものであり、断裁処理を行わずに、冊子を冊子収納手段に収容するモードを任意に選択する事ができる。
【００３０】
（５）  本発明の用紙断裁装置は、画像形成処理中にキャンセル操作が行われた時、断裁手段による断裁処理を行わず、冊子を搬送手段により冊子収納手段に搬送するように制御するものであり、画像形成装置又は用紙後処理装置においてトラブルが発生して、コピーキャンセルを行うとき、用紙断裁装置内の冊子を速やかに排出して、キャンセル処理時間を短縮することができる。
【００３１】
（６）  本発明の用紙断裁装置は、搬送手段により搬送される冊子の先端部が、可動ストッパに突き当たる直前に、可動ストッパを駆動するモータを励磁処理して、可動ストッパを固定状態に保持するものであり、冊子の先端部が可動ストッパに衝突する時に生じる衝突ぶれを低減し、冊子の小口断裁位置精度を向上することが可能になる。
【００３２】
（７）  本発明の用紙断裁装置は、断裁手段により断裁処理された冊子を搬送して冊子収納手段に搬送する搬送中に、後続の冊子を断裁手段に搬入させ、断裁処理後の冊子の搬送処理と、後続の冊子の搬入処理とを同時に行うものであり、断裁処理時間の短縮による後処理の生産性向上が可能になる。
【００３３】
（８）  本発明の用紙断裁装置は、停止手段の停止部材の停止位置を、任意に設定した断裁量に対応して調整可能に設定するものであり、ユーザが断裁したい寸法に任意に調整することが可能になる。
【００３４】
（９）  本発明の複写機、プリンタ、これらの複合機等の画像形成装置により画像形成された用紙は、用紙後処理装置により中綴じと中折り処理され、用紙断裁装置の断裁手段により用紙の小口が均一に揃えられ、製本化された冊子となり、冊子収納手段に冊子をスタックすることが可能になる。
【発明を実施するための最良の形態】
【００３５】
（第１の実施の形態）
本発明の用紙断裁装置、用紙後処理装置及び用紙後処理装置を備えた画像形成装置を図面に基づいて説明する。
【００３６】
図１は画像形成装置本体Ａ、用紙後処理装置Ｂ、用紙断裁装置Ｃを備えた画像形成システムの全体構成図である。
【００３７】
図示の画像形成装置本体Ａは、画像読み取り部１、画像処理部２、画像書き込み部３、画像形成部４、給紙カセット５、給紙手段６、定着装置７、排紙部８、自動両面コピー給紙部９を備えている。
【００３８】
画像形成装置本体Ａの上部には、自動原稿送り装置Ｄが搭載されている。画像形成装置本体Ａの図示の左側面の排紙部８側には、用紙後処理装置（フィニッシャー）Ｂ及び用紙断裁装置Ｃが連結されている。
【００３９】
自動原稿送り装置Ｄの原稿台上に載置された原稿ｄは矢印方向に搬送され画像読み取り部１の光学系により原稿の片面又は両面の画像が読みとられ、ＣＣＤイメージセンサ１Ａに読み込まれる。
【００４０】
ＣＣＤイメージセンサ１Ａにより光電変換されたアナログ信号は、画像処理部２において、アナログ処理、Ａ／Ｄ変換、シェーディング補正、画像圧縮処理等を行った後、画像書き込み部３に信号を送る。
【００４１】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われる。給紙カセット５から給紙手段６により給送された用紙Ｓは転写手段４Ｂにより画像が用紙Ｓに転写される。画像を担持した用紙Ｓは、定着装置７により定着され、排紙部８から用紙後処理装置Ｂに送り込まれる。或いは搬送路切り替え板８Ａにより自動両面コピー給紙部９に送り込まれた片面画像処理済みの用紙Ｓは再び画像形成部４において、両面画像処理後、排紙部８から排出され、用紙後処理装置Ｂにおいて、中綴じ処理、二つ折り処理された後、用紙断裁装置Ｃに送り込まれる。
【００４２】
用紙断裁装置Ｃは、用紙後処理装置Ｂにより中綴じ処理、二つ折り処理された冊子ＳＡの小口近傍を、図３（ｄ）に示すように、断裁して小口ｂを揃えるもので、図４以降において詳述する。
【００４３】
用紙後処理装置Ｂには、図示の上段から、固定排紙皿８１、表紙給紙手段４０、シフト処理搬送部２０、第１積載部３０、綴じ手段５０、折り手段６０が、ほぼ垂直方向に縦列配置されている。
【００４４】
用紙後処理装置Ｂの図示右上方には入口搬送部１０が配置されている。また、用紙後処理装置Ｂの図示左側面には、端綴じ及びシフト処理済みの用紙を積載する昇降排紙皿８２が配置されている。
【００４５】
図２は、用紙後処理装置Ｂの用紙搬送経路を示す模式図である。
【００４６】
用紙後処理装置Ｂは画像形成装置本体Ａから搬出された用紙Ｓの入口部１１が画像形成装置本体Ａの排紙部８と合致するよう位置と高さを調節して設置されている。
【００４７】
入口部１１の入口部ローラ１２の用紙搬送下流に接続する用紙Ｓの搬送路は、上段の第１搬送路Ｒ１と中段の第２搬送路Ｒ２および下段の第３搬送路Ｒ３の３系統に分岐されていて、切り替えゲートＧ１，Ｇ２の占める角度の選択により用紙Ｓが何れかの搬送路に給送される。
【００４８】
（１）  ノンステイプル、ノンソート（第１搬送路Ｒ１）
画像形成装置本体Ａから排出された画像形成済みの用紙Ｓは、入口部１１に導入され、入口部ローラ１２により搬送されて、入口部センサＰＳ１により用紙Ｓの搬送方向長さが検知される。用紙Ｓは上方の第１の切り替えゲートＧ１の右方の通路１３を通過して、上方の搬送ローラ１４及び搬送ローラ１５に挟持されて上昇搬送され、更に排出ローラ１６に挟持されて機外上部の固定排紙皿８１上に排出され、順次積載される。
【００４９】
この用紙搬送過程では、切り替えゲートＧ１は通路１７を閉止し、通路１３を開放状態にして、用紙Ｓの固定排紙皿８１への通過を可能にする。
【００５０】
（２）  シフト処理又はノンソート（第２搬送路Ｒ２）
この搬送モードに設定されると、切り替えゲートＧ１は通路１３を閉止し、通路１７を開放状態に保持し、用紙Ｓの通路１７の通過を可能にする。
【００５１】
画像形成装置本体Ａから排出された画像形成済みの用紙Ｓは、入口部１１、入口部ローラ１２を通過し、切り替えゲートＧ１の下方に開放状態に形成された通路１７を通過して、搬送ローラ１８に挟持されて、第２搬送路Ｒ２である斜め下方の第２の切り替えゲートＧ２の上方の通路２１を通過して、搬送ローラ２２に挟持され、通路２３を経て、シフト手段２５、シフトローラ２４に挟持され、排出ローラ２６により排出され、大量の用紙を収納可能な昇降排紙皿８２上に積載される。
【００５２】
（３）  端綴じ処理（第３搬送路Ｒ３）
端綴じ処理又は中綴じ処理を施す用紙Ｓは、画像形成装置本体Ａ内で画像形成処理されて、用紙後処理装置Ｂの入口部１１に送り込まれ、入口部ローラ１２、第１の切り替えゲートＧ１の下方の通路１７を通過して、搬送ローラ１８に挟持されて、第３搬送路Ｒ３に搬送される。
【００５３】
第３搬送路Ｒ３において、用紙Ｓは、切り替えゲートＧ２の下方の通路３１を通過して、下流の搬送ローラ３２により挟持、搬送される。用紙Ｓは、更に下流の搬送ローラ３４により挟持されて送り出され、第１積載部３０の傾斜配置された中間スタッカ３５の上方空間に排出され、中間スタッカ３５または中間スタッカ３５上に積載された用紙Ｓの上面に接し、滑走上昇したのち、搬送ローラ３４から用紙Ｓの進行方向後端部が排出されたのちには、用紙Ｓの自重により下降に転じ、中間スタッカ３５の傾斜面上を滑落し、綴じ手段５０近傍の端綴じ用可動ストッパ部材（以下、端綴じストッパと称す）５１の用紙突き当て面に用紙Ｓの進行方向先端部が当接して停止する。
【００５４】
３６は中間スタッカ３５の両側面に移動可能に設けた一対の上流側幅整合手段である。上流側幅整合手段３６は用紙搬送方向と直交する方向に移動可能であり、用紙Ｓが中間スタッカ３５上に排出される用紙受け入れ時には、用紙幅より広く開放され、中間スタッカ３５上を搬送されて、端綴じストッパ５１に当接して停止するときには、用紙Ｓの幅方向の側縁を軽打して用紙束幅揃え（幅整合）を行う。
【００５５】
この停止位置において、中間スタッカ３５上に所定枚数の用紙Ｓが積載、整合されると、綴じ手段５０により綴じ合わせ処理が行われ、用紙束が綴じ合わされる。
【００５６】
前記中間スタッカ３５の用紙積載面の一部には、駆動プーリ３７Ａと従動プーリ３７Ｂに巻回された複数の排出ベルト３８が回動可能に配置されている。綴じ処理された用紙束は、排出ベルト３８の排出爪３８ａにより用紙Ｓの後端部を保持されて、排出ベルト３８上に載せられ、中間スタッカ３５の載置面上を滑走して斜め上方に押し上げられ、排出ローラ２６のニップ位置に進行する。回転する排出ローラ２６に挟持された用紙束は、昇降排紙皿８２上に排出、積載される。
【００５７】
（４）  表紙給紙（第４搬送路Ｒ４）
表紙給紙手段４０は、表紙載置部４１、表紙送り部４２から構成されている。
【００５８】
表紙給紙手段４０から給紙された１枚の表紙Ｋは、通路４３を通過して、搬送ローラ１４の他のニップ位置を通過し、通路１９、搬送ローラ１８を通過した後、第３搬送路Ｒ３の搬送ローラ３２、通路３３、搬送ローラ３４を経て、中間スタッカ３５上に到達する。
【００５９】
（５）  中綴じ処理（第５搬送路Ｒ５）
綴じ手段５０は、上部機構５０Ａと下部機構５０Ｂとの２分割構造に構成され、その中間に、用紙Ｓが通過可能な通路５２を形成している。
【００６０】
綴じ手段５０は、用紙搬送方向に直交する方向に２組配置され、図示しない駆動手段により、用紙搬送方向に直交する方向に移動可能である。この綴じ手段５０により、用紙幅方向の中央振り分け２箇所に綴じ針ＳＰを打つ。
【００６１】
中綴じモードに設定され、表紙Ｋ及び用紙Ｓのサイズ（搬送方向の長さ）が設定又は検知されると、中綴じ用可動ストッパ部材（以下、中綴じストッパと称す）５３は所定位置に移動して停止する。中綴じストッパ５３の起動に連動して端綴じストッパ５１が退避し、通路５２を開放する。
【００６２】
表紙Ｋが中間スタッカ３５上の所定位置に載置された後、画像形成装置本体Ａから搬出された用紙Ｓが、用紙後処理装置Ｂの入口搬送部１０から第３搬送路Ｒ３を通過して、中間スタッカ３５上に載置された表紙Ｋの上面に順次積載され、用紙Ｓの端部が中綴じストッパ５３に当接して位置決めされる。５６は中綴じ処理時に用紙Ｓの幅方向を規制する下流側幅整合手段であり、前記上流側幅整合手段３６と同様に１枚の用紙Ｓが搬入される都度、用紙Ｓの幅方向の側端を叩いて幅整合を行う。
【００６３】
また、中綴じ処理時に、中間スタッカ３５上を搬送して綴じ手段５０の上流側を進行する用紙Ｓに対して、用紙Ｓが中綴じストッパ５３に突き当たる頃を見計らって、上流側幅整合手段３６と下流側幅整合手段５６とを同時に作動させて、用紙幅整合を行って用紙揃えする。
【００６４】
このようにして、中間スタッカ３５上を進行し、綴じ手段５０を中心にして上流側と下流側に亘って延長して積載される用紙Ｓ及び表紙Ｋは、上流側幅整合手段３６と下流側幅整合手段５６とにより、用紙Ｓの全長に亘り正確に幅整合される。
【００６５】
最終の用紙Ｓが中間スタッカ３５上に位置決め載置された後、表紙Ｋと用紙Ｓの全頁とから成る用紙束に綴じ手段５０による中綴じ処理を行う。この中綴じ処理により、表紙Ｋ及び用紙Ｓの搬送方向の中央部に綴じ針が打ち込まれる。綴じ針ＳＰは綴じ針打ち込み駆動側を有する下部機構５０Ｂから、綴じ針クリンチ側を有する上部機構５０Ａに向けて打ち込まれる。
【００６６】
（６）  二つ折り処理（第６搬送路Ｒ６）
中綴じ処理後、中綴じストッパ５３が揺動して、通路５２の下流の通路を開放する。中綴じ処理された表紙Ｋと用紙Ｓから成る用紙束は、湾曲した通路と中間搬送ローラ６１を通過して斜め下方の搬送ベルト６２によりガイド板６３に案内されて搬送され、更に、第２積載部（スタック台）６４上を搬送されて、折り部可動ストッパ手段６５に用紙束の搬送方向の先端部が当接して、所定位置に停止する。折り部可動ストッパ手段６５は用紙サイズの設定又は検知と駆動手段により所定位置に移動可能である。
【００６７】
折り手段６０は、用紙突き出し手段６６、折りローラ６７、搬送ベルト６８、加圧ローラ６９等から構成されている。
【００６８】
二つ折り開始信号により、用紙突き出し手段６６の突き出し板６６Ａが斜め上方に直進して、突き出し板６６Ａの先端部は、表紙Ｋと用紙Ｓから成る用紙束の中央部を押し上げ、用紙束を介して折りローラ６７のニップ部を押し広げて揺動、離間させる。
【００６９】
突き出し板６６Ａの先端部が前記ニップ部を通過後、突き出し板６６Ａが後退して、用紙束の中央部は、折りローラ６７により挟圧されて、折り目部が形成される。この折り目部は、前述の中綴じ処理による用紙束への綴じ針の打ち込み位置と一致する。この中綴じ、中折り処理は、最大６４ページ（１６枚）の用紙を処理可能とする。
【００７０】
回転する一対の折りローラ６７により挟圧されて折り目部を形成された用紙束の中央部は、一対の搬送ベルト６８に挟持されて搬送され、一対の加圧ローラ６９のニップ位置に送り込まれ、この位置で折り目部が更にしっかり付けられた後、排出される。
【００７１】
図３（ａ）は用紙Ｓの二つ折りする折り目部ａに沿って中央振り分け２箇所に綴じ針ＳＰを打針する中綴じ処理を示す用紙の平面図、図３（ｂ）は中綴じと二つ折りの後処理を施した冊子ＳＡの斜視図、図３（ｃ）は後処理済みの冊子ＳＡを両開きした状態を示す斜視図、図３（ｄ）は中綴じと二つ折りの後処理を施した冊子ＳＡの断面図である。これらの図において、ｂは用紙Ｓの側端部の小口、ｃは小口揃えするための断裁線である。
【００７２】
中綴じ処理と二つ折り処理により作製された冊子ＳＡは、表紙Ｋの第１面（ｐ１，ｐ８）を外側に向け、その裏面側に第２面（ｐ２，ｐ７）、更にその内側に中身である用紙Ｓの第１面（ｐ３，ｐ６）、その内側に用紙Ｓの第２面（ｐ４，ｐ５）が配置され、図示のように８頁（ｐ１〜ｐ８）から成る冊子の頁揃えができる。
【００７３】
画像形成装置本体Ａの操作部において、冊子作成オートモードを選択、設定し、表紙載置部４１上に表紙Ｋを積載し、プリントを開始すると、画像形成装置本体Ａの制御部により、前記の画像プロセスが実行され、画像を担持した用紙Ｓは用紙後処理装置Ｂにより、中綴じ処理と二つ折り処理とが行われて、連続して冊子ＳＡが作製、排出される。
【００７４】
用紙後処理装置Ｂの操作部において、冊子作製マニュアルモードを選択、設定し、表紙載置部４１上に、表紙Ｋとその下に画像形成済みの１冊分の用紙Ｓとを積載し、送り出し動作を開始すると、用紙後処理装置Ｂの制御部により、表紙Ｋと用紙Ｓは用紙後処理装置Ｂにより、中綴じ処理と二つ折り処理とが行われて、１冊分の冊子が作製、排出される。
【００７５】
図４は、本発明の用紙断裁装置Ｃの全体構成図である。用紙断裁装置Ｃは、第１搬送手段（断裁処理前の用紙搬送手段）１００、第２搬送手段（断裁処理後の用紙搬送手段）２００、断裁手段３００、冊子収納手段４００から構成されている。
【００７６】
図５は、用紙断裁装置Ｃの用紙搬送経路を示す断面図である。
【００７７】
用紙後処理装置Ｂの折り手段６０により二つ折り処理された冊子ＳＡは、用紙断裁装置Ｃの入口部に配置された搬送ベルト１０１上に排出される。搬送ベルト１０１は、支持部材１０２に回動可能に支持され、駆動ローラ１０３により回動される。
【００７８】
搬送ベルト１０１の用紙搬送方向下流側には、駆動ローラ１１２と従動ローラ１１３に巻回された下搬送ベルト１１１が回動可能に配置されている。下搬送ベルト１１１の上方には、上搬送ベルト１１４が圧接し、従動して回動される。ローラ１１５，１１６を巻回する上搬送ベルト１１４は、支持部材１１７に回動可能に支持されている。支持部材１１７は、バネ１１８により付勢され、上搬送ベルト１１４を下搬送ベルト１１１に圧接する。搬送ベルト１０１により搬送された冊子ＳＡは、下搬送ベルト１１１と上搬送ベルト１１４により圧接、挟持されて搬送される。
【００７９】
下搬送ベルト１１１の用紙搬送方向下流側には、駆動手段に接続する駆動ローラ１２１と、駆動ローラ１２１に圧接して回動する従動ローラ１２２が配置されている。下搬送ベルト１１１と上搬送ベルト１１４とに挟持されて搬送される冊子ＳＡは、案内板１２３を通過して、駆動ローラ１２１と従動ローラ１２２に挟持されて搬送される。
【００８０】
駆動ローラ１２１の用紙搬送方向下流側には、断裁上刃３０１、断裁下刃３０２、可動板３１０、押圧ローラ３１１、屑箱３２０及び駆動手段から成る断裁手段３００が配置されている。断裁手段３００の詳細は後述する。
【００８１】
断裁手段３００により小口ｂを断裁されて仕上げられた冊子ＳＡは、第２搬送手段２００において、回動する下搬送ベルト２０１、従動して回動される上搬送ベルト２０６、及び駆動回転する上ローラ２０５に挟持されて搬送される。
【００８２】
下搬送ベルト２０１は、駆動手段に接続する駆動ローラ２０２により回動される。２０３は、下搬送ベルト２０１により従動回転する従動ローラである。下搬送ベルト２０１の内方で冊子搬送路近傍には、搬送支持板２０４が固設されている。
【００８３】
上搬送ベルト２０６は、ローラ２０７，２０８を巻回して回動可能であり、支持部材２０９に支持されている。支持部材２０９は、バネ付勢され、上搬送ベルト２０６を下搬送ベルト２０１を介して搬送支持板２０４に圧接する。断裁処理された冊子ＳＡは、第２搬送手段２００の下搬送ベルト２０１と上ローラ２０５との間隙を通過し、更に、下搬送ベルト２０１と上搬送ベルト２０６により圧接、挟持されて搬送される。
【００８４】
下搬送ベルト２０１により水平方向に搬送される冊子ＳＡは、回転する大径ローラ２１１と、固定配置された案内板に案内されて、垂直上方に約９０°偏向されて上昇搬送される。冊子ＳＡは、更に大径ローラ２１１とピンチローラ２１３とに挟持されて、冊子排出口２１４を通過して排出され、冊子ＳＡの折り目部ａを上に、小口ｂを下にして、冊子収納手段４００の冊子積載台４０１上に載置される。
【００８５】
冊子収納手段４００は、冊子積載台４０１、可動壁部材（プッシャ）４１０、仕切部材（ホルダ）４２０、押圧壁部材４３０、及び駆動手段とから構成されている。
【００８６】
冊子積載台４０１は、断裁処理済みの複数の冊子ＳＡを冊子排出口２１４から順次受容して、冊子ＳＡの折り目部ａを上にして用紙面を重ね合わせて積載する。可動壁部材４１０は、冊子積載台４０１に直立して水平移動可能に支持され、冊子積載台４０１上に積載された冊子ＳＡの用紙面を押圧し、冊子積載台４０１上と冊子排出口２１４との間を水平方向に往復動する。
【００８７】
可動壁部材４１０は、通常は冊子排出口２１４よりも前進した停止位置で冊子積載台４０１上に積載された冊子ＳＡを受け止め、断裁処理済みの冊子ＳＡが冊子積載台４０１に搬入される都度、冊子排出口２１４を開放する位置まで待避し、冊子ＳＡが冊子排出口２１４を通過完了後に、冊子ＳＡの用紙面を押圧しながら停止位置に復帰して待機する。
【００８８】
仕切部材４２０は、冊子積載台４０１に直交する垂直方向に移動可能であり、可動壁部材４１０が次の冊子受入のため、冊子排出口２１４が開放されるように待避を始めるとき、仕切部材４２０が可動壁部材４１０の代わりに積載済みの冊子ＳＡの用紙面を受け止め、可動壁部材４１０が次の冊子ＳＡの用紙面を押圧しながら停止位置に前進する動作に合わせて、仕切部材４２０が冊子積載台４０１の後端部に沿って下降を開始して待避し、冊子積載台４０１上に次の冊子ＳＡを受け入れ可能にする。可動壁部材４１０が停止位置に移動完了するのに合わせて、仕切部材４２０が上昇開始する。
【００８９】
押圧壁部材４３０は、冊子積載台４０１に直立して移動可能に支持され、バネ付勢されている。押圧壁部材４３０の冊子接触面は、可動壁部材４１０又は仕切部材４２０に対向し、冊子積載台４０１上に積載された冊子ＳＡの用紙面を押圧、保持する。
【００９０】
図６は冊子搬送系の駆動手段を示す構成図である。
【００９１】
冊子搬送用モータＭ１は、第１搬送手段１００及び第２搬送手段２００を駆動する。冊子搬送用モータＭ１の駆動軸に設けた歯車ｇ１は、歯車ｇ２，ｇ３，ｇ４，ｇ５を介して第１搬送手段１００の駆動ローラ１２１を回転させる。駆動ローラ１２１はベルトＴＢ１を介して駆動ローラ１１２を回転させ、下搬送ベルト１１１を回動させる。
【００９２】
歯車ｇ４と同軸上のプーリＴＰ１を巻回するベルトＴＢ２は、プーリＴＰ２，ＴＰ３，ＴＰ４を巻回して回動可能である。プーリＴＰ２の回転軸上には、上ローラ２０５が固定されて回転可能である。プーリＴＰ４の回転軸上に固定された歯車ｇ６は、駆動ローラ２０２の回転軸上に固定された歯車ｇ７を回転させる。駆動ローラ２０２は下搬送ベルト２０１を回動させる。
【００９３】
駆動ローラ２０２の回転軸上に固定されたプーリＴＰ５と、中間軸上のプーリＴＰ６とを巻回するベルトＴＢ３は、プーリＴＰ６の回転軸上に固定された歯車ｇ８，ｇ９を介して、歯車ｇ９の回転軸上に固定された大径ローラ２１１を回転させる。
【００９４】
図７は、第２搬送手段２００の下搬送ベルト２０１、及び可動ストッパ２２１の駆動手段を示す断面図である。
【００９５】
可動ストッパ移動用モータＭ２は、歯車ｇ１１，ｇ１２、ベルトＴＢ４を介して可動ストッパ２２１を用紙サイズに対応した所定位置に移動させる。ストッパ解除用モータＭ３は、歯車ｇ１３，ｇ１４を介してカム２２２を駆動回転させ、可動ストッパ２２１を起倒させる。可動ストッパ２２１は冊子ＳＡの先端部の突き当て時には、起立した初期状態に保持され、冊子ＳＡの排紙時には、モータＭ３の駆動により倒された状態になる。
【００９６】
冊子ＳＡの厚さ、即ち、１枚の用紙の厚さと用紙束の枚数とにより、冊子断裁前の小口の突出量が異なるから、可動ストッパ２２１の設定位置は、これらの数値設定、又は冊子の厚さ検知により、制御手段が最適値を選択する。
【００９７】
図８は、上搬送ベルト２０６を含む押圧ユニットの駆動手段の正面図である。
【００９８】
押圧用モータＭ４は、歯車ｇ２１，ｇ２２，ｇ２３，ｇ２４，ｇ２５，ｇ２６を介して、回転円板２３１を回転させる。回転円板２３１に植設された偏心ピン２３２は、クランク２３３の下端部に接続し、クランク２３３を揺動させる。クランク２３３の上端部は、連結板２３４に接続し、連結板２３４を昇降させる。連結板２３４は２本のバネ２３５により図示下方に付勢されている。
【００９９】
連結板２３４の両側部に固定された２本の連結桿２３６は、固定枠体２３７に固定された軸受２３８に嵌合し、昇降可能に支持されている。連結桿２３６の上端部は、押圧部材２４０に固定されている。
【０１００】
押圧部材２４０は、上搬送ベルト２０６を支持する支持部材２０９に対してバネ付勢されて昇降可能に支持されている。下搬送ベルト２０１面上に載置された冊子ＳＡの小口を断裁する時に、押圧部材２４０は、回転円板２３１の駆動回転により、クランク２３３、連結板２３４、連結桿２３６を介して昇降する。更に、押圧部材２４０は、冊子ＳＡの厚さに応じて移動し、冊子ＳＡ上面を押圧する。
【０１０１】
図９は、断裁手段３００の断面図である。
【０１０２】
断裁手段３００は、断裁上刃３０１、断裁下刃３０２、断裁上刃３０１を昇降可能に駆動する駆動手段から成る。
【０１０３】
断裁用モータＭ５は、歯車ｇ３１，ｇ３２，ｇ３３を回転させ、歯車ｇ３３の偏心位置に植設された偏心ピン３０３を偏心回転させる。偏心ピン３０３の先端部は、可動部材３０４の内周面を摺動して、可動部材３０４を昇降させる。
【０１０４】
可動部材３０４と一体をなし昇降可能に支持された昇降シャフト３０５の上部には、上刃支持枠体３０６が固定されている。上刃支持枠体３０６には、断裁上刃３０１が固定されている。
【０１０５】
下降する断裁上刃３０１の刃先と、固定位置の断裁下刃３０２の刃先とにより、冊子ＳＡの小口が断裁される。３２０は小口から断裁された屑を収容する屑箱である。
【０１０６】
上刃支持枠体３０６には、押圧板３０９がバネ３０８に付勢されて支持されている。上刃支持枠体３０６の下部には、可動板３１０を押圧する押圧ローラ３１１が支持されている。
【０１０７】
上刃支持枠体３０６の下降行程では、押圧板３０９が下降して、断裁下刃３０２上に載置された冊子ＳＡの上面を押圧し、次に、下降する押圧ローラ３１１が可動板３１０を押圧し、断裁上刃３０１の刃先が小口ｂを断裁する。
【０１０８】
図１０は、冊子排出口２１４近傍の可動壁部材（以下、プッシャと称す）４１０と仕切部材（以下、ホルダと称す）４２０を示す断面図である。
【０１０９】
プッシャ４１０は、積載された冊子ＳＡを押圧する直立した垂直壁部４１１を有し、冊子積載台４０１方向に水平移動可能である。プッシャ移動用モータＭ６は、歯車ｇ４１，ｇ４２，ｇ４３，ｇ４４，ｇ４５を介して回転円板４１２を回転させる。回転円板４１２の偏心位置に植設された偏心ピン４１３は、クランク４１４の右端部に接続し、クランク４１４を揺動させる。クランク４１４の図示の左端部は、プッシャ４１０に接続し、プッシャ４１０を水平方向に移動させる。図示の実線で示すプッシャ４１０は待避位置を示し、冊子排出口２１４を開口し、冊子ＳＡを通過可能にする状態である。一点鎖線で示す位置は、プッシャ４１０が駆動手段により水平方向に移動された停止位置である。
【０１１０】
プッシャ４１０の近傍に平行配置されたホルダ４２０の両側端部に配置された可動保持部材４２１は、２組のローラ４２２，４２３を回転可能に保持している。２組のローラ４２２，４２３は、装置本体の両側端部に配置されたガイドレール４２４に転動して、可動保持部材４２１を昇降可能にする。
【０１１１】
即ち、可動保持部材４２１は、ガイドレール４２４の下部に設けたホルダ昇降用モータＭ７及び駆動手段により、ガイドレール４２４に沿って昇降駆動される。図示のホルダ４２０は下方の待避位置から上昇し、冊子ＳＡを保持可能にする状態を示す。
【０１１２】
図１１は、プッシャ４１０、ホルダ４２０、押圧壁部材４３０から成る冊子収納手段４００の斜視図である。図１２は、冊子積載台４０１上に複数部の冊子ＳＡを積載した状態の冊子収納手段４００を示す断面図である。
【０１１３】
プッシャ４１０はプッシャ移動用モータＭ６の駆動により矢示の水平方向に移動される。ホルダ４２０はホルダ昇降用モータＭ７の駆動により矢示の垂直方向に移動される。押圧壁部材４３０は定荷重バネ部材４３１に付勢されて、矢示の水平方向に移動される。
【０１１４】
冊子ＳＡが冊子排出口２１４から送り出されて、冊子ＳＡの下端部が大径ローラ２１１とピンチローラ２１３の挟持位置を通過後、プッシャ４１０がプッシャ移動用モータＭ６の駆動により前進を開始する。プッシャ４１０は前進して冊子ＳＡを押圧し、ホルダ４２０方向に押し進める。プッシャ４１０の前進開始とほぼ同時に、ホルダ昇降用モータＭ７の駆動開始によりホルダ４２０が下降開始する。冊子ＳＡの下部は、プッシャ４１０と、バネ付勢された押圧壁部材４３０により、立姿勢で密接に挟持される。折り目部を有し膨れた形状をなす冊子ＳＡの上部は、押圧壁部材４３０の傾斜面部４３２の上方に広がった空間部に折り重なるように積載される。冊子積載完了後、又は冊子積載動作中に、冊子ＳＡの上部を把持して容易に取り出すことができる。
【０１１５】
図１３は用紙断裁装置Ｃのセンサとモータの配置を示す模式図である。ＰＳ１は第１搬送手段１００の入口部に配置された入口部センサ、ＰＳ２は第２搬送手段２００に配置された搬送部センサ、ＰＳ３は第２搬送手段２００の出口部に配置された排紙部センサである。
【０１１６】
図１４は画像形成装置本体Ａの操作盤の基本画面を示す平面図である。この操作盤面上で、用紙サイズ、設定枚数等を設定し、さらに出力モードを設定すると、図１５に示す用紙後処理モードになる。
【０１１７】
図１５は用紙後処理モードに設定した操作盤の画面を示す平面図である。この画面において、中綴じ、中折り、断裁を選択し、ＯＫキーで設定すると、図１６に示すフィニッシャー調整メニュー画面になる。図１６はフィニッシャー調整メニュー画面を示す操作盤の平面図である。
【０１１８】
中綴じストッパ位置調整、中折りストッパ位置調整、断裁ストッパ位置調整のうち、断裁ストッパ位置調整を設定すると、図１７に示す断裁ストッパ位置調整画面になる。図１７は断裁ストッパ位置調整画面を示す操作盤の平面図である。この画面において、位置調整代を数値キーにより入力し設定キーにより決定する。入力された位置調整代は画面上部に表示される。
【０１１９】
図１８は用紙断裁装置Ｃの制御を示すブロック図、図１９は断裁処理実施時のタイムチャートである。以下、制御手段９０による各駆動手段の作動について説明する。
【０１２０】
図１９において、用紙後処理装置Ｂから搬送される冊子ＳＡの先端部通過を入口部センサＰＳ１が検知すると、所定時間経過後、可動ストッパ移動用モータＭ２の駆動を開始し、用紙サイズに対応した位置に可動ストッパ２２１を移動させ停止する。搬送部センサＰＳ２が冊子ＳＡの先端部通過を検知すると、冊子搬送用モータＭ１の駆動を停止させる。冊子搬送用モータＭ１の駆動停止に連動して押圧用モータＭ４の駆動が開始される。押圧用モータＭ４による押圧部材２４０の下死点到達が検知されると、押圧用モータＭ４の駆動が停止され、断裁用モータＭ５の駆動が開始される。可動ストッパ移動用モータＭ２は駆動停止後、励磁状態に保持され、断裁用モータＭ５の駆動開始後、励磁が解除される。
【０１２１】
断裁用モータＭ５の駆動停止により、断裁上刃３０１が上死点付近で停止したことを検知されると、押圧用モータＭ４、可動ストッパ解除用モータＭ３、及びプッシャ移動用モータＭ６の駆動が開始される。
【０１２２】
押圧用モータＭ４による押圧部材２４０の上死点到達が検知されると、押圧用モータＭ４の駆動が停止され、冊子搬送用モータＭ１の駆動が開始され、冊子ＳＡを排紙部に搬送する。
【０１２３】
排紙部センサＰＳ３が冊子ＳＡの後端部通過を検知すると、冊子搬送用モータＭ１の駆動を停止させるとともに、可動ストッパ解除用モータＭ３、及びホルダ昇降用モータＭ７の駆動を開始する。その後、プッシャ移動用モータＭ６とホルダ昇降用モータＭ７との連携動作により、冊子ＳＡが冊子収納手段４００に収容される。
【０１２４】
（１）  図１９に示したように、制御手段９０は、断裁手段３００の駆動源であるモータＭ５を駆動している時には、断裁手段３００以外の各手段の駆動源、即ち、冊子搬送用モータＭ１、可動ストッパ移動用モータＭ２、可動ストッパ解除用モータＭ３、押圧用モータＭ４、プッシャ移動用モータＭ６、ホルダ昇降用モータＭ７の駆動を非作動に制御する。
【０１２５】
（２）  制御手段９０は、第１搬送手段１００、及び第２搬送手段２００により搬送される冊子ＳＡの用紙枚数設定（図１４参照）により、可動ストッパ移動用モータＭ２を駆動して、可動ストッパ２２１の冊子ＳＡの停止位置を可変に制御する。
【０１２６】
（３）  制御手段９０は、冊子ＳＡの用紙枚数が所定枚数以下（例えば１〜３枚）に設定された場合、自動的に断裁処理を行わず、操作盤の基本画面上のメッセージエリア（図１４参照）に、断裁処理を行わないことを表示する。
【０１２７】
（４）  制御手段９０は、断裁処理実施を選択したときには、断裁手段による断裁処理後の冊子ＳＡを第１搬送手段１００、及び第２搬送手段２００により冊子収納手段４００に搬送する。断裁処理非実施を選択したときには、断裁手段３００による断裁処理を行わず、冊子ＳＡを第１搬送手段１００、及び第２搬送手段２００により、直接冊子収納手段４００に搬送するように制御する。図２０は、断裁処理非実施を選択したときの用紙断裁装置の制御を示すタイムチャートである。このモードに設定されると、可動ストッパ移動用モータＭ２、押圧用モータＭ４、断裁用モータＭ５は、非作動状態に保持され、冊子搬送用モータＭ１の駆動により、導入された冊子ＳＡは断裁手段３００を通過して、速やかに冊子収納手段４００に搬送される。
【０１２８】
（５）  制御手段９０は、画像形成処理中にキャンセル操作が行われた時（図１５に示すキャンセル釦使用）、断裁手段３００による断裁処理を行わず、冊子ＳＡを第１搬送手段１００、及び第２搬送手段２００により、冊子収納手段４００に搬送するように制御する。これにより、非断裁処理の冊子ＳＡは断裁手段３００で停止することなく通過して、速やかに冊子収納手段４００に排出される。
【０１２９】
（６）  制御手段９０は、第１搬送手段１００、及び第２搬送手段２００により搬送される冊子ＳＡの先端部が、可動ストッパ２２１に突き当たる直前に、可動ストッパ移動用モータＭ２を励磁処理して、可動ストッパ２２１を固定状態に保持する。これにより、搬送される冊子ＳＡの先端部が可動ストッパ２２１に突き当たったときの衝撃により、可動ストッパ２２１が移動することが防止される。
【０１３０】
（７）  図２１は、先行の１部目の冊子ＳＡと後続の２部目の冊子ＳＡとの搬送を制御する用紙断裁装置Ｃのタイムチャートである。
【０１３１】
制御手段９０は、断裁手段３００により断裁処理された冊子ＳＡを第２搬送手段２００により搬送して、冊子収納手段４００に搬送する搬送中に、後続の冊子ＳＡを第１搬送手段１００により断裁手段３００に搬入させ、断裁処理後の冊子ＳＡの搬送処理と、後続の冊子ＳＡの搬入処理とを同時に行うように制御する。
【０１３２】
即ち、押圧用モータＭ４による押圧部材２４０の押圧が解除されて、初期位置に復帰したことを図示しないホームポジションセンサが検知すると、制御手段９０は冊子搬送用モータＭ１の駆動を開始させて、第２搬送手段２００の下搬送ベルト２０１を回動させ、先行の冊子ＳＡを排出し、冊子収納手段４００に収納させる。冊子搬送用モータＭ１により、第１搬送手段１００の下搬送ベルト１１１も同時に回動され、用紙断裁装置Ｃに導入された後続の冊子ＳＡは、先行の冊子ＳＡから所定の間隔を保持して追従し、断裁手段３００に送り込まれ、第２搬送手段２００により搬送されて、可動ストッパ２２１の停止位置において停止される。その後、後続の冊子ＳＡに断裁処理、排紙処理、収納処理が行われる。
【０１３３】
先行の冊子ＳＡの後端部と、後続の冊子ＳＡの先端部とを接近させて搬送させることにより、冊子ＳＡの後処理の生産性が向上する。
【０１３４】
（８）  制御手段９０は、可動ストッパ２２１の停止位置を、任意に設定した断裁量に対応して調整可能に設定するように制御する。図１６のフィニッシャー調整メニュー画面において、断裁ストッパ位置調整を設定し、図１７に示す断裁ストッパ位置調整画面にする。任意の位置調整代を数値キーにより入力し、設定すれば、入力された位置調整代は画面上部に表示される。この断裁代の任意設定機能により、ユーザは断裁したい量を任意に調整することが可能になる。
【図面の簡単な説明】
【０１３５】
【図１】画像形成装置本体、用紙後処理装置、用紙断裁装置を備えた画像形成システムの全体構成図。
【図２】用紙後処理装置の用紙搬送経路を示す模式図。
【図３】中綴じ処理した用紙の平面図、中綴じと二つ折りの後処理を施した冊子の斜視図、冊子を両開きした状態を示す斜視図、及び冊子の断面図。
【図４】本発明の用紙断裁装置の全体構成図。
【図５】用紙断裁装置の用紙搬送経路を示す断面図。
【図６】冊子搬送系の駆動手段を示す構成図。
【図７】第２搬送手段の下搬送ベルト、可動ストッパの駆動手段を示す断面図。
【図８】上搬送ベルトを含む押圧ユニットの駆動手段の正面図。
【図９】断裁手段の断面図。
【図１０】冊子排出口近傍の可動壁部材と仕切部材を示す断面図。
【図１１】可動壁部材、仕切部材、押圧壁部材の斜視図。
【図１２】冊子積載台上に複数部の冊子を積載した状態の冊子収納手段を示す断面図。
【図１３】用紙断裁装置のセンサとモータの配置を示す模式図。
【図１４】画像形成装置本体の操作盤の基本画面を示す平面図。
【図１５】用紙後処理モードに設定した操作盤の画面を示す平面図。
【図１６】フィニッシャー調整メニュー画面を示す操作盤の平面図。
【図１７】断裁ストッパ位置調整画面を示す操作盤の平面図。
【図１８】用紙断裁装置の制御を示すブロック図。
【図１９】断裁処理実施時の用紙断裁装置の制御を示すタイムチャート。
【図２０】断裁処理非実施を選択したときの用紙断裁装置の制御を示すタイムチャート。
【図２１】先行の１部目の冊子と後続の２部目の冊子との搬送を制御する用紙断裁装置のタイムチャート。
【符号の説明】
【０１３６】
５０  綴じ手段
６０  折り手段
９０  制御手段
１００  第１搬送手段
１１１  下搬送ベルト
１１４  上搬送ベルト
２００  第２搬送手段
２０１  下搬送ベルト
２０６  上搬送ベルト
２２１  可動ストッパ（停止手段）
２４０  押圧部材（押圧手段）
３００  断裁手段
３０１  断裁上刃
３０２  断裁下刃
３０９  押圧板
４００  冊子収納手段
４０１  冊子積載台
４１０  可動壁部材（プッシャ）
４２０  仕切部材（ホルダ）
４３０  押圧壁部材
Ａ  画像形成装置本体
Ｂ  用紙後処理装置
Ｃ  用紙断裁装置
Ｍ１，Ｍ２，Ｍ３，Ｍ４，Ｍ５，Ｍ６，Ｍ７  モータ
ＰＳ１  入口部センサ
ＰＳ２  搬送部センサ
ＰＳ３  排紙部センサ
Ｓ  用紙
ＳＡ  冊子
ａ  折り目部
ｂ  小口
【図１】
2006247836.tif 000003
【図２】
2006247836.tif 000004
【図３】
2006247836.tif 000005
【図４】
2006247836.tif 000006
【図５】
2006247836.tif 000007
【図６】
2006247836.tif 000008
【図７】
2006247836.tif 000009
【図８】
2006247836.tif 000010
【図９】
2006247836.tif 000011
【図１０】
2006247836.tif 000012
【図１１】
2006247836.tif 000013
【図１２】
2006247836.tif 000014
【図１３】
2006247836.tif 000015
【図１４】
2006247836.tif 000016
【図１５】
2006247836.tif 000017
【図１６】
2006247836.tif 000018
【図１７】
2006247836.tif 000019
【図１８】
2006247836.tif 000020
【図１９】
2006247836.tif 000021
【図２０】
2006247836.tif 000022
【図２１】
2006247836.tif 000023
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
中綴じ処理、中折り処理された冊子の小口を断裁手段により断裁して冊子を仕上げる用紙断裁装置において、
中綴じ処理、中折り処理されて形成された冊子を搬送する搬送手段と、前記冊子を所定位置に停止させる停止手段と、前記冊子の小口を断裁する断裁手段と、断裁処理済みの冊子を収容する冊子収納手段と、前記各手段を制御する制御手段と、から構成し、
前記制御手段は、前記搬送手段により搬送される冊子の先端部が、前記停止手段の停止部材に突き当たる直前に、前記停止手段を駆動する駆動源を励磁処理して、前記停止手段を固定状態に保持することを特徴とする用紙断裁装置。
【請求項２】
用紙給送手段により給送された用紙に、画像情報に応じて画像を形成する画像形成手段と、
前記画像形成手段により画像形成された用紙を、中綴じ処理する綴じ手段、中綴じ処理された用紙を二つ折り処理する折り手段を備えた用紙後処理装置と、
請求項１に記載の用紙断裁装置とを有し、
画像形成された用紙を二つ折り処理及び中綴じ処理して冊子を作製し、前記冊子の小口を断裁手段により断裁して冊子を仕上げることを特徴とする画像形成装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
〈１〉  搬送手段により断裁手段に搬送される用紙の先端部が、停止手段の停止部材に突き当たる時に、停止手段が衝撃を受けて、停止位置が変動し、正確な位置に用紙が設置されないことがある。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明は、上記課題を解消して、用紙断裁装置を改良し、冊子の小口断裁位置精度を向上させることを目的とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
（１）  上記の課題〈１〉は、本発明の請求項１に記載の用紙断裁装置により解決される。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
（２）  本発明の画像形成装置は、用紙給送手段により給送された用紙に、画像情報に応じて画像を形成する画像形成手段と、前記画像形成手段により画像形成された用紙を、中綴じ処理する綴じ手段、中綴じ処理された用紙を二つ折り処理する折り手段を備えた用紙後処理装置と、請求項１に記載の用紙断裁装置とを有し、画像形成された用紙を二つ折り処理及び中綴じ処理して冊子を作製し、前記冊子の小口を断裁手段により断裁して冊子を仕上げることを特徴とするものである。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
（１）  本発明の用紙断裁装置は、搬送手段により搬送される冊子の先端部が、可動ストッパに突き当たる直前に、可動ストッパを駆動するモータを励磁処理して、可動ストッパを固定状態に保持するものであり、冊子の先端部が可動ストッパに衝突する時に生じる衝突ぶれを低減し、冊子の小口断裁位置精度を向上することが可能になる。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】変更
【補正の内容】
【００３４】
（２）  本発明の複写機、プリンタ、これらの複合機等の画像形成装置により画像形成された用紙は、用紙後処理装置により中綴じと中折り処理され、用紙断裁装置の断裁手段により用紙の小口が均一に揃えられ、製本化された冊子となり、冊子収納手段に冊子をスタックすることが可能になる。